【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
支持フレームに受容されて生物薬剤材料を凍結、貯蔵及び解凍するための容器であり、
凍結、貯蔵及び解凍するため、内部に生物薬剤材料を受容する構造で、接触用の外面及び内部を有する容器となる部材と、
該部材に結合されている支持構造で、前記支持フレームに連結可能で、該支持構造が前記支持フレームに支持され、前記内部が生物薬剤材料を受容したときの前記容器となる部材の重量を支持する支持構造とを備え、
該支持構造は、伝熱面と生物薬剤材料との間で熱伝導可能にするために、前記支持フレームに対して可動する伝熱面に前記接触用の外面を対向させ、前記伝熱面を前記容器となる部材へ接触可能な状態とする前記支持フレームに前記容器となる部材を支持する構成としたことを特徴とする容器。
【請求項２】
前記支持構造は、該支持構造を受容するために形成された前記フレームのチャンネルに受容されることを特徴とする請求項１に記載の容器。
【請求項３】
前記容器となる部材は、前記フレームの厚さ内に圧縮可能な容器を形成していることを特徴とする請求項１または２に記載の容器。
【請求項４】
さらに、前記容器となる部材の内部と該容器となる部材の外部との間で流体の出し入れを可能にするポートを備えたことを特徴とする請求項１乃至３のいずれか１項に記載の容器。
【請求項５】
前記支持構造は、さらに前記容器となる部材の内容物に関する表示情報を受容するための表示部材を備えたことを特徴とする請求項１乃至４のいずれか１項に記載の容器。
【請求項６】
前記支持構造は、さらに前記フレームから突出する少なくとも１つのポストを受容する構成にされた少なくとも１つの開口を備えたことを特徴とする請求項１乃至５のいずれか１項に記載の容器。
【請求項７】
前記支持構造は、さらに前記フレームの少なくとも１つの取付けボスに結合可能な少なくとも１つの取付けループを備えたことを特徴とする請求項１乃至６のいずれか１項に記載の容器。
【請求項８】
前記容器となる部材は、少なくとも１種の柔軟な材料及び半硬質材料を備えたことを特徴とする請求項１乃至７のいずれか１項に記載の容器。
【請求項９】
生物薬剤材料を凍結、貯蔵及び解凍するためのシステムであり、
接触用の外面を有し、内部に生物薬剤材料を受容する構成の容器と、
該容器を受容する内部を有するフレームで、生物薬剤材料が前記容器に受容され、前記容器が該フレームの内部に受容されたときに、伝熱面と生物薬剤材料との間で熱伝導可能にするため、前記接触用の外面を前記伝熱面に接触させるように前記接触用の外面に対して伝熱面が可動し、前記内部に前記容器を支持する前記容器に連結可能なフレームとを備えたことを特徴とするシステム。
【請求項１０】
前記容器は、前記フレームの内部に該容器を支持するため、前記フレームに連結可能な支持構造を備えたことを特徴とする請求項９に記載のシステム。
【請求項１１】
前記フレームは、さらに前記支持構造を受容するために用いられるチャンネルを備えたことを特徴とする請求項１０に記載のシステム。
【請求項１２】
前記支持構造は、少なくとも１つの開口を備え、前記フレームは、さらに該フレームから突出する少なくとも１つのポストを備え、前記少なくとも１つの開口は、前記容器を前記フレームが支持するのを可能にするため、前記少なくとも１つのポストの受容に用いられることを特徴とする請求項１０または１１に記載のシステム。
【請求項１３】
前記フレームは、さらにキャプチャ部材を備え、該キャプチャ部材は、前記少なくとも１つのポストの周りで、該キャプチャ部材と前記フレームとの間に前記支持構造を挟むことを特徴とする請求項１２に記載のシステム。
【請求項１４】
さらに、前記フレームに対し回転可能に連結されたキャプチャ部材を備え、該キャプチャ部材は、該キャプチャ部材、前記支持構造及び前記少なくとも１つのポストを連結して前記少なくとも１つのポストを受容するための少なくとも１つの開口部を備えたことを特徴とする請求項１２に記載のシステム。
【請求項１５】
さらに、前記フレームに連結される直立な支持部材を備え、該部材は、面上に直立した状態で前記フレームを保持する構成であることを特徴とする請求項９乃至１４のいずれか１項に記載のシステム。
【請求項１６】
前記フレームは、さらに前記容器の該フレームの外への移動を抑制するための開閉可能な上部を備えたことを特徴とする請求項１０乃至１５のいずれか１項に記載のシステム。
【請求項１７】
前記フレームは、さらに取付けボスを備え、前記容器は、さらに取付けループを備え、前記取付けボスは、前記フレームを前記容器に連結するために前記取付けループに結合可能であることを特徴とする請求項９乃至１６のいずれか１項に記載のシステム。
【請求項１８】
前記取付けボスは、前記フレームの外面に配設され、該フレームは、さらに前記取付けボスを結合するのに前記取付けループを挿通可能な開口を備えたことを特徴とする請求項１７に記載のシステム。
【請求項１９】
前記フレームは、第１の部分及び第２の部分を備え、前記容器を前記フレームに連結するため、前記第１の部分を前記第２の部分に取り付けて前記第１の部分と前記第２の部分との間に前記支持構造を結合することを特徴とする請求項９乃至１８のいずれか１項に記載のシステム。
【請求項２０】
前記フレームは、さらに、前記容器が該フレームの内部に支持され、該フレームが前記温度制御ユニットに受容されているとき、前記容器の接触用の外面に前記伝熱面が接触することにより、前記容器の温度制御を可能にする少なくとも１つの開口部を備えたことを特徴とする請求項９乃至１９のいずれか１項に記載のシステム。
【請求項２１】
さらに、前記容器が前記フレームに受容されているとき、前記少なくとも１つの開口部の少なくとも一部を覆って前記容器を保護するための保護カバーを備えたことを特徴とする請求項２０に記載のシステム。
【請求項２２】
前記フレームは、第１の開口部を有する第１のサイド及び第２の開口部を有する第２のサイドを備え、前記容器は、該容器が前記フレームに受容され、該フレームが温度制御ユニットに受容されているとき、前記第１の開口部及び前記第２の開口部を介して前記温度制御ユニットの内部と連通していることを特徴とする請求項９乃至２１のいずれか１項に記載のシステム。
【請求項２３】
前記容器は、前記フレームに連結可能な支持構造を備え、前記容器は、前記フレームの前記第１の開口部及び前記第２の開口部のうちの少なくとも１つを介して前記温度制御ユニットの少なくとも１つの伝熱面と接触可能な構成であることを特徴とする請求項２２に記載のシステム。
【請求項２４】
前記フレームは、温度制御ユニット及び貯蔵ユニットのうちの少なくとも１つに受容される形状であることを特徴とする請求項９乃至２３のいずれか１項に記載のシステム。
【請求項２５】
前記フレームは、厚みを有し、前記温度制御ユニット及び前記貯蔵ユニットのうちの少なくとも１つの受容部分がチャンネルを備え、前記厚みは、前記チャンネルへ前記フレームを受容可能な寸法を有することを特徴とする請求項２４に記載のシステム。
【請求項２６】
前記容器は、該容器の内容物を表示するための表示部を備え、前記フレームは、使用者による前記表示部の分析を可能にする透明な部分を有することを特徴とする請求項９乃至２５のいずれか１項に記載のシステム。
【請求項２７】
前記容器は、前記フレームの厚さ内に圧縮可能であることを特徴とする請求項９乃至２６のいずれか１項に記載のシステム。
【請求項２８】
前記容器は、柔軟な容器及び半硬質な容器のうちの少なくとも１つからなることを特徴とする請求項９乃至２７のいずれか１項に記載のシステム。
【請求項２９】
生物薬剤材料を凍結、貯蔵及び解凍する方法であり、
接触用の外面、及び、凍結、貯蔵及び解凍するため、生物薬剤材料を収容可能に形成された内部を有する容器を用意し、
支持フレームに連結可能で、該支持フレームに連結して前記容器の内部に生物薬剤材料を受容したときの前記容器の重量を支持する支持構造を前記容器に結合し、
伝熱面と生物薬剤材料との間で熱伝導可能にするために、前記支持フレームに対して可動する伝熱面に前記接触用の外面を対向させ、前記伝熱面を前記容器へ接触可能な状態とする前記支持フレームに前記容器となる部材を支持する支持構造とすることを特徴とする容器。
【請求項３０】
前記支持構造を受容可能な構造の前記フレームのチャンネルに、前記支持構造を受容させることを特徴とする請求項２９に記載の方法。
【請求項３１】
さらに、前記容器を前記フレームの厚さ内で圧縮可能にすることを特徴とする請求項２９または３０に記載の方法。
【請求項３２】
さらに、前記容器の内部と外部との間で流体の出し入れを可能にするポートを前記容器に取り付けることを特徴とする請求項２９乃至３１のいずれか１項に記載の方法。
【請求項３３】
さらに、前記容器の内容物に関する表示情報を受容するための表示部材を前記支持構造に取り付けることを特徴とする請求項２９乃至３２のいずれか１項に記載の方法。
【請求項３４】
前記支持構造が、前記フレームから突出する少なくとも１つのポストを受容するために用いられる少なくとも１つの開口を備えたことを特徴とする請求項２９乃至３３のいずれか１項に記載の方法。
【請求項３５】
前記支持構造が、前記フレームの少なくとも１つの取付けポストに結合可能な少なくとも１つの取付けループを備えたことを特徴とする請求項２９乃至３４のいずれか１項に記載の方法。
【請求項３６】
さらに、柔軟な材料及び半硬質の材料のうちの少なくとも１つからなる容器を形成することを特徴とする請求項２９乃至３５のいずれか１項に記載の方法。